(57)【要約】【課題】小型化を図りつつ、広い範囲の使用者に対して音声を聞き取りやすくすることが可能な電話装置を提供する。【解決手段】本体２は、前カバー３と後カバー４とを嵌め合わせることで、それぞれの部品を収納している。前カバー３には本体２の下から順に、送話部５と、操作部６と、表示部７と、受話部８とを備えている。前カバー３には、スピーカ８２が設けられた位置に主音孔８５が設けられていると共に、スピーカ８２の下方の位置に副音孔８６が設けられている。【選択図】図２
2007150393.tif 000002
【特許請求の範囲】
【請求項１】
装置内部に設けられ音を出力する発音体と、
前記発音体の発音部の前面に設けられ前記発音体から拡散した音を装置外部に出力する第１の音孔と、
前記発音体から拡散した音を前記第１の音孔から離隔した位置に出力する第２の音孔と、
を具備したことを特徴とする電話装置。
【請求項２】
前記第２の音孔は前記発音体の位置から通話者が発した音声を入力する送話部の方向に離隔した位置に設けたことを特徴とする請求項１記載の電話装置。
【請求項３】
前記第２の音孔は、前記発音体から拡散した音を前記発音体から前記第２の音孔へ導く経路によって、前記発音体と連通させたことを特徴とする請求項２記載の電話装置。
【請求項４】
装置内部に設けられ音を出力する発音体と、
前記発音体の発音部の前面に設けられ前記発音体から拡散した音を装置外部に出力する第１の音孔と、
前記発音体から拡散した音を前記第１音孔に音を伝える第１経路と、
前記第１の音孔から離隔した位置に設けられた第２の音孔と、
前記発音体から拡散した音を前記第１経路を経て前記第２の音孔へ伝える第２経路と、
を具備したことを特徴とする電話装置。
【請求項５】
前記第２の音孔は前記発音体の位置から通話者が発した音声を入力する送話部の方向に離隔した位置に設けたことを特徴とする請求項４記載の電話装置。
【請求項６】
前記第１経路は前記発音体の前面に設けた空間部であり、
前記第２経路は前記空間部から前記第２の音孔に通じる伝音路であることを特徴とする請求項４記載の電話装置。
【請求項７】
前記第１経路と前記第２経路とは互いに共通する領域をそれぞれの経路に含む共通領域を有することを特徴とする請求項４記載の電話装置。
【請求項８】
前記第１の音孔を含む受話部と隣接する領域との間に隙間を設け、
前記第２の音孔を隙間状に形成して前記隙間に設けたことを特徴とする請求項４記載の電話装置。
【請求項９】
前記隣接する領域は電話番号を含む情報を表示する表示部であることを特徴とする請求項８記載の電話装置。
【請求項１０】
前記第１の音孔を含む受話部と隣接する領域との間に凹部を設け、
前記第２の音孔は前記凹部に設けたことを特徴とする請求項４記載の電話装置。
【請求項１１】
前記隣接する領域は発呼者情報を表示する表示部であって、前記表示部の表示面を保護する表示部カバーの外壁に沿って前記凹部を形成したことを特徴とする請求項１０記載の電話装置。
【請求項１２】
装置の筐体である第１筐体に発音体を設けた電話装置であって、
前記第１筐体は耳に接する受話部と、
前記受話部の裏面に所定の空間部を介して装着された前記発音体と、
前記空間部から前記受話部へ前記第１筐体を貫通した主音孔とを有し、
前記主音孔から離隔した位置に前記第１筐体を貫通する副音孔を設け、前記第１筐体の内部を構成する第２筐体が、前記空間部から前記副音孔へ連続する伝音路を形成して、前記主音孔と前記副音孔とから前記発音体の音を放音可能にしたことを特徴とする電話装置。
【請求項１３】
前記発音体から前記主音孔に至る経路と、前記発音体から前記副音孔に至る経路とは、前記空間部の一部領域を共にそれぞれの経路に含む共通領域を有することを特徴とする請求項１２記載の電話装置。
【請求項１４】
前記第３筐体は発呼者情報を表示する表示部であって、
前記第１筐体の内周壁と隣接する前記表示部の表示面を保護する表示部カバーの外壁との間に前記隙間を設け、前記副音孔は前記隙間に設けたことを特徴とする請求項１２記載の電話装置。
【請求項１５】
前記第１筐体の表面に装着された第３筐体を有する電話装置であって、
前記第３筐体は前記第１筐体との間に凹部を設け、前記副音孔は前記凹部に連通して設けたことを特徴とする請求項１２記載の電話装置。
【請求項１６】
前記第３筐体は発呼者情報を表示する表示部であって、
前記表示部の表示面を保護する表示部カバーの外壁に沿って前記凹部を形成したことを特徴とする請求項１５記載の電話装置。
【請求項１７】
前記凹部は表示部カバーの外壁の一部分に設けたことを特徴とする請求項１６記載の電話装置。
【発明の詳細な説明】
【技術分野】
【０００１】
本発明は、装置本体を耳に当てて音声を聞く電話装置に関し、電話装置を操作する人が耳殻に電話装置を押し当てたとき音声を明瞭に聞き取るための電子機器の構造に関するものである。
【背景技術】
【０００２】
電話装置の中でも、特に、コードレス電話装置の子機や、携帯電話装置や、ＰＨＳ（Personal Handy phone System）などは、携帯性に優れた小型化および軽量化が促進されている。
【０００３】
携帯電話装置のスピーカ音声だけを聞こえるようにするために（特許文献１）が提案された。（特許文献１）は、受話部として耳の穴に入れる音声導管を設けたものである。
【特許文献１】特開２００２−６４６０９号公報
【発明の開示】
【発明が解決しようとする課題】
【０００４】
電話装置の装置本体には、音声を入力する送話部と、音声を聞くために音声を発生する発音体を有する受話部とが設けられている。手に持って顔に近づけた状態で通話するときに容易に会話できるように、送話部は装置本体の下部、つまり通話者の口元に、受話部は上部、つまり通話者の耳元に設けられている。そして送話部と受話部との間には、発信先電話番号や文字情報を入力したりする数字キーやメニューの操作する機能キーなどの操作部や、ＬＣＤ（Liquid Crystal Display）などの表示部が、表示部を見ながら操作部を操作できるように、送話部の上に操作部、そしてその上に表示部の順に配置されている。なお、実際の使用状態に合わせて以下説明の便宜上、耳に当てる受話部側を上とし、口に当てる送話部側を下として表現する。
【０００５】
従って、小型化を図るために、送話部、操作部、表示部、受話部のそれぞれが配置される間隔や、下端から送話部まで、上端から受話部までのそれぞれの間隔は、次第に狭くなる傾向がある。つまり、装置本体の上部に配置されていた受話部を上端付近まで近づけることで、装置本体の前面のスペースを確保する努力がなされている。
【０００６】
しかし、受話部を装置本体の上端近くに配置すると、音声を聞こうとして装置本体を手に持って耳に当てたときに、装置本体の前面上部付近を耳殻全体に合わせて当ててしまい、受話部の位置が耳孔より高い位置にずれてしまうことがある。これは、装置本体の上端を耳孔に合わせて当てるよりも、装置本体の前面上部を耳殻全体に合わせて当てる方が安定するためである。
【０００７】
使用者は無意識に装置本体を耳に当てたとき、受話部の位置を耳孔より高い位置にずれてしまう傾向がある。そのため、装置本体の上端付近に配置された受話部は耳孔より上方の耳殻に位置することになる。つまり、音声を発生する発音体からの音を伝声する装置本体の音孔は、耳孔より外れた状態となって、音声が聞こえにくくなる。
【０００８】
そうなると使用者は、更に良く聞こえるように装置本体を耳に強く押し当てようとして、音孔は耳殻に密着した状態となり、ますます聞き取り難い状態に陥ってしまう。
【０００９】
そこで本発明の目的は、小型化を図りつつ、通話者の耳孔の周囲の広い範囲に音声を放出して音声を聞き取り易くすることが可能な電話装置を提供する。
【課題を解決するための手段】
【００１０】
本発明の電話装置は、装置内部に設けられ音を出力する発音体と、発音体の発音部の前面に設けられ発音体から拡散した音を装置外部に出力する第１の音孔と、発音体から拡散した音を第１の音孔から離隔した位置に出力する第２の音孔と、を具備したことを特徴とする電話装置である。
【発明の効果】
【００１１】
本発明は、電話装置の小型化を図るために発音源を電話装置の上端付近に配置した結果、主音孔つまり第１の音孔が耳殻に塞がれたとしても、発音体からの音は副音孔つまり第２の音孔を介して耳孔へ到達させることができる。電話装置を使用する人は耳にどのような当て方をしてもいずれかの音孔が解放しているので、発音源の音声を聞き取りやすくすることができ、明瞭な音声聴取が可能となる。
【００１２】
副音孔を設けるために特別な構造体や部品の追加を必要としない。従って、装置全体の小型化を図りつつ、コストが増加することを防止することができる。さらに、副音孔の位置や形状は既存の構成部品を使って自由に形成することができる。そのためにデザインを制約されることが無く、操作をしやすい設計が可能となる。
【発明を実施するための最良の形態】
【００１３】
本発明の第１の発明は、装置内部に設けられ音を出力する発音体と、発音体の発音部の前面に設けられ発音体から拡散した音を装置外部に出力する第１の音孔と、発音体から拡散した音を第１の音孔から離隔した位置に出力する第２の音孔と、を具備したことを特徴とする電話装置である。
【００１４】
電話装置を使用する人は耳にどのような当て方をしても第１の音孔と第２の音孔とのいずれかの音孔が解放しているので、発音源の音声を聞き取りやすくすることができ、明瞭な音声聴取が可能となる。また、副音孔を設けるために特別な構造体や部品の追加を必要としないので、装置全体の小型化を図りつつ、コストが増加することを防止することができる。
【００１５】
本発明の第２の発明は、第１の発明に加えて、第２の音孔は発音体の位置から通話者が発した音声を入力する送話部の方向に離隔した位置に設けたことを特徴とする電話装置である。第２の音孔を第１の音孔から送話部の方向に離隔したので、電話装置を使用する人は耳にどのような当て方をしても第２の音孔を解放し易くなる。こうして、いずれかの音孔が解放されるから、発音源の音声を聞き取りやすくすることができ、明瞭な音声聴取が可能となる。
【００１６】
さらに本発明の第３の発明は、第２の発明に加えて、第２の音孔は、発音体から拡散した音を発音体から第２の音孔へ導く経路によって、発音体と連通させたことを特徴とする電話装置である。発音部から第２の音孔へ導く経路によって空間が連続するため、広い空間で明瞭な音声の聴取が可能となる。
【００１７】
また、本発明の第４の発明は、上述の第１から第３の発明に加えて、受話部と表示部である隣接する領域との間に隙間を設け、第２の音孔を隙間状に形成して隣接する隙間に設けたことを特徴とする電話装置である。第２の音孔の位置や形状は既存の構成部品を使って自由に形成することができる。そのためにデザインを制約されることが無く、操作をしやすくするための設計が可能となる。
【００１８】
さらに、本発明の第５の発明は、上述の第１から第３の発明に加えて、受話部と表示部である隣接する領域との間に凹部を設け、第２の音孔を凹部に設けたことを特徴とする電話装置である。第２の音孔を介して表示部の周囲の凹部から発音体の音を放音可能にすることができ、上述の効果に加えて、表示部全体から放音する効果が得られる。
【００１９】
（実施の形態１）
本発明の実施の形態における電話装置の一例としてコードレス電話装置の子機を例に、図面に基づいて説明する。なお本明細書においては、使用される態様に基づいて、耳に当てる受話部側を上とし、口に当てる送話部側を下として説明している。
【００２０】
まず、本実施の形態１に係る電話装置の構成を、図１から図４に基づいて説明する。図１は、本発明の実施の形態１における電話装置の正面図である。図２は、図１におけるＡ−Ａ線断面図である。図３は、図１のＢ部拡大斜視図であって、前カバーに表示部カバーを取り付けていない状態をあらわす。図４は、図２のＣ方向から見た拡大斜視図である。
【００２１】
図１および図２において、本発明の電話装置は、電池で駆動（図示省略）され、電話回線に接続される親機（図示省略）と無線で通信することで、着信や発信および通話を行っている。
【００２２】
電話装置１は、前カバー３と後カバー４とを嵌め合わせることで、本体２の筐体、つまり外殻をなす第１筐体を形成し、電話装置１の外殻となる。その電話装置１の外殻の内部にそれぞれの部品を収納している。本体２は、前カバー３側には下から順に、送話部５と、操作部６と、表示部７と、受話部８とを備えている。
【００２３】
送話部５は、本体２を手に持って顔に当てたとき通話者の口に位置する付近であって、前カバー３の下部に送話孔５１が形成され、その本体２の内部にマイクが配置されている。この送話部５は、通話者が発した音声を入力する機能を備えている。
【００２４】
操作部６は、発信先電話番号を入力するときなどに使用する「０」から「９」までの数字キーや、「＊」および「＃」の記号キーなどを備えている。また操作部６として、保留キーやオンフックキーなどの機能や、上下左右のそれぞれの各部が押下可能な選択キーなどを備えるようにしてもよい。
【００２５】
表示部７は、本体２の状態を表示したり、操作部６を操作して入力した電話番号を表示したり、着信したときの発呼者番号を表示したりする各種情報の表示機能を備えている。この表示部７は、前カバー３に矩形状に形成された開口部３１に、液晶表示パネル（Liquid Crystal Display：ＬＣＤ）７１が配置されている。そしてこの液晶表示パネル７１を覆うようにパネルの表示面を保護するための表示部カバー７２が開口部３１に設けられている。
【００２６】
なお、送話部５、操作部６、および表示部７のそれぞれは本体２に設けた例を示した。しかし、他の実施の形態として本体から分離したり、タッチパッドにて操作したり、あるいは他の表示部材を用いて構成しても良い。これらの部材や配置位置をどのように構成するかは本発明の主題とするものではなく、上述の説明や図１に示した部材、位置、形状、に限定して解釈されるものではない。
【００２７】
受話部８は、本体２を手に持って顔に当てたときに通話者の耳に位置するように前カバー３に配置されている。前カバー３の上部に凹部８１が設けられている。ここで受話部８について、更に図３および図４を参照しながら詳細に説明する。
【００２８】
前カバー３に設けられた凹部８１の位置（本体２の内部）に、発音体としてスピーカ８２が配置されている。このスピーカ８２は、例えば略円柱状に形成され、通話を音声として発生する機能を備えている。凹部８１の大きさは、このスピーカ８２の音を発生する前面とほぼ同じ大きさに形成されている。ほぼ円形状の凹部８１の下部、即ち、表示部７寄りの部分に、スピーカ８２からの音を放音する円弧状の長円穴に形成された主音孔８５が前カバー３を貫通している。つまり、主音孔８５はスピーカ８２が設けられている位置の凹部８１の範囲内に設けられている。
【００２９】
なお、上述のように、スピーカ８２が音を出力する部分（つまり、発音部）の前面にあって、スピーカ８２が発した音がその前面に進行し、直接本体２の外部に出て行く（つまり、通話者の耳へ届く）から主音孔８５と称する。また、上述の通り、必ずしも穴である必要はなく、筐体を貫通して音が本体２の外部に出て行く構成であるものを指す。それ故に第１の音孔と総称する。
【００３０】
また、スピーカ８２は円柱状に限定されるものではなく、楕円柱状でも角柱状でも良い。また、主音孔８５についても、長円穴に限定するものではなく、円孔、角孔、楕円孔いずれでもよく、複数であっても良い。これらの形状については本発明の主題とするものではなく、上述の説明や図１に示した形状に限定して解釈されるものではない。
【００３１】
略円柱状に形成されたスピーカ８２を保持するために、前カバー３には内周面に階段部８３が形成された略環状の周壁部８４が設けられている。このスピーカ８２を階段部８３に突き当てて周壁部８４に保持させることで、スピーカ８２の前方（音を放出する前面）に空間部９が形成され、共鳴の効果を得るための空間にも利用される。つまり、スピーカ８２が発した音がその前面に進行し空間部９を経て、主音孔８５から本体２の外部に出て行く経路を第１経路と略称する。なお、階段部８３は実施の形態１の一例であって、スピーカ８２を位置決めし固定することができれば良く、階段状に限定するものではない。
【００３２】
前カバー３の開口部３１には、その内周縁部に表示部カバー７２を受ける棚部３２が設けられている。この開口部３１の内周壁面部３３の上端であり、かつ主音孔８５の下側に前カバー３を貫通する副音孔８６が形成されている。また、前カバー３を貫通する副音孔８６は表示部カバー７２にも連続するように表示部カバー７２にも副音孔８６を形成する。
【００３３】
こうして、副音孔８６は、発音体であるスピーカ８２の下方に離れて位置し、凹部８１の範囲外（スピーカ８２が音を放出する前面つまり主音孔８５から送話部５側へ離隔した位置に）に形成されている。そして、表示部カバー７２から前カバー３へ連続する副音孔８６は、さらに、棚部３２に形成された溝８７に接続されている。この溝８７は、周壁部８４の一部を切り欠いで空間部９とも連続して接続している。従って、溝８７を介して空間部９から副音孔８６に連続する空間である伝音路８９を形成する。
【００３４】
なお、前述の主音孔８５から離れた位置に設けられ、主音孔８５を補って本体２の外部に音が出てゆく音孔であるから副音孔８６と称する。また、主音孔８５の場合と同様に必ずしも穴である必要はなく、筐体を貫通して音が本体２の外部に出て行く構成であるものを指す。それ故に第２の音孔と総称する。
【００３５】
そして、溝８７の周囲には略矩形状に段差が形成されている。この段差部分を蓋部８８で覆うことで、溝８７は空間部９へ通じる伝音路８９となる。従って、空間部９から副音孔８６に連続する空間、つまり伝音路８９はスピーカ８２の前面の空間が連続し、スピーカ８２の裏面とは分離される。こうして、副音孔８６から音声を放出できるため、従来の可聴範囲を超えた広い空間で明瞭な音声の聴取が可能となる。
【００３６】
こうして、スピーカ８２から出た音は受話部８から離れた部分に位置する副音孔８６まで伝音路８９を伝わって本体２の外部に放出される。換言すれば、スピーカ８２が出た音がその前面に進行して広がり、空間部９に達した音の一部が伝音路８９を経て副音孔８６から本体２の外部に出て行く経路を第２経路と略称する。また、この第２経路と前述の第１経路とは空間部９の一部領域を共にそれぞれの経路に含むので、共通領域と称する。
【００３７】
なお、以上の説明では伝音路８９の構成を説明するために蓋部８８と説明した。しかし、電話装置１の内部には回路を実装する部品（図示省略）や、操作部６や表示部７を構成する部品が実装され、これらを装着する筐体部材が用いられる。このような筐体内部を構成する筐体部材をもって蓋部８８を構成しても良い。それ故に本発明では蓋部８８を含む筐体内部を構成する筐体部材を第２筐体と総称し、本発明の説明を行う。
【００３８】
以上のように構成された本発明の実施の形態１の電話装置１の使用状態を図１から図４に基づいて説明する。着信して通話するときには、使用者は子機本体２を手に持って、操作部６を操作して着信状態から通話状態にしてから耳に当てる。通話の音声はスピーカ８２から出力される。スピーカ８２から出力された音声は、空間部９を介して主音孔８５から放音される。
【００３９】
通話のときに通話者が耳に当てる位置がずれて、主音孔８５が耳殻に当てられて塞がれてしまうことによって、スピーカ８２が出力する音声が主音孔８５を介して通話者に聞こえにくい状況となるときがある。たとえそのような状況になって主音孔８５が耳殻の位置に外れたとしても、本体２にはスピーカ８２の下方に位置した副音孔８６が設けられており、耳孔の位置には副音孔８６が位置することになるので、通話者は副音孔８６から放音された音声を聞くことができる。
【００４０】
このように、主音孔８５が耳殻に当てられて塞がれた状態となっても副音孔８６から音が放音されるので、幅広い使用状況でも聞こえにくい状況を回避することができる。また主音孔８５が塞がれていなければ、主音孔８５と副音孔８６との両方から音声が放音されるので、可聴範囲を、更に広いものとすることができる。従って、電話装置を使用する人は耳にどのような当て方をしても主音孔８５と副音孔８６とのいずれかの音孔が解放している。特に、副音孔８６を主音孔８５から送話部５の方向に離隔したので、電話装置を使用する人は耳にどのような当て方をしても副音孔８６を解放し易くなる。こうして、いずれかの音孔が解放されるから、発音源の音声を聞き取りやすくすることができ、明瞭な音声聴取が可能となる。
【００４１】
次に、本発明の実施の形態１の電話装置の効果を図５から図７に基づいて説明する。図５は、図１の電話装置の測定箇所を示す図である。図６は、図５のＬ１方向の測定結果を示す図である。図７は、図５のＬ２方向の測定結果を示す図である。なお、図６および図７においては、比較品として副音孔８６を塞いだものを測定し、比較例を表示した。実施の形態１に係る電話装置１を「○」で示し、比較品を「△」で示す。
【００４２】
次に、図５において、電話装置１の副音孔８６を基準に垂直方向の音の広がりを測定した（測定方向Ｌ１の矢印参照）。測定結果を図６に示す。音圧が最大となる位置は、実施の形態１と比較品共に主音孔８５が位置するところにあって、図６の４ｍｍの位置に主音孔として示す。
【００４３】
図６において、比較品が主音孔８５から距離が離れるに従って急激に音圧が低下する。これに対し、実施の形態１は主音孔８５から距離が離れても、音圧の低下の度合いが低く、更に下方に離れると比較品との音圧レベルの差が著しくなる。例えば、図６の０ｍｍの位置に副音孔として示す位置から下方に２ｍｍ離れると、その差は６ｄＢにも達する。これは、副音孔８６からの放音効果により音圧の低下の度合いが低くなり、垂直方向で可聴範囲が広がっていることが確認できる。
【００４４】
図５において、電話装置１の主音孔８５の位置を基準に水平方向（子機本体２の幅方向）の音の広がりを測定した（図５の測定方向Ｌ２の矢印参照）。測定結果を図７に示す。スピーカ８２部分では、さほど差はないが、周囲へ距離が離れるに従って徐々に音圧レベルが比較品より高くなっていることがわかる。この結果、音声は上下方向だけでなく従来品と同様または比較品以上に横方向への音声の広がりを確保できていることが確認できる。
【００４５】
（実施の形態２）
次に、本発明の実施の形態２における電話装置を、その一例であるコードレス電話装置の子機を例に説明する。特に、本実施の形態２における電話装置は副音孔に関し他の構成にした例を説明する。実施の形態１との相違点は前カバー１０３の前面に開放する副音孔を表示部の広さに拡大して隙間（スリット）状に形成したことを特徴とする。
【００４６】
図８は、本発明の実施の形態２における電話装置の正面図である。図９は、図８におけるＤ−Ｄ線断面図である。図１０は、図８のＥ部拡大斜視図である。図１１は、図９のＦ方向から見た拡大斜視図である。なお、図８から図１１において、図１から図４に説明した構成要素と同じものは同一の符号を付して説明の重複を省略する。また、実施の形態１で総称した第１，２の音孔や迂回路に関する説明もまた同様である。
【００４７】
図８から図１１において、電話装置１０１の本体１０２は前カバー１０３を貫通する幅広の副音孔１８６が形成されている。その形成位置は、前カバー１０３の開口部３１の上端辺であって、その形状は主音孔８５の下側の棚部３２に上端辺の幅全体に貫通孔を隙間（スリット）状に形成したものである。
【００４８】
前カバー１０３の裏側面には、この幅広の副音孔１８６の周囲に副音孔周壁部１８４を形成する。さらに、副音孔周壁部１８４の一部は周壁部８４と接合しており、周壁部８４の一部と副音孔周壁部１８４の一部とを切り欠きを形成する。この切り欠きによって、副音孔周壁部１８４により囲まれた空間は、空間部９と連続する。さらに、副音孔周壁部１８４により形成された空間を、矩形状に形成された蓋部１８８で覆う。
【００４９】
蓋部１８８に関し、実施の形態１と同様に第２筐体と総称する。こうして、切り欠きは副音孔周壁部１８４により囲まれた空間と空間部９とを連続し、副音孔１８６へ音を伝える伝音路１８９となる。こうして実施の形態１と同様に、スピーカ８２の前面の空間が連続し、スピーカ８２の裏面とは分離されるので、スピーカ８２から放出された音の位相の影響を受けることもなくなり、明瞭な音声聴取が可能となる。
【００５０】
スピーカ８２の前面から放出された音は、空間部９を介して主音孔８５から放出されると共に、空間部９と伝音路１８９とを通って副音孔１８６から放出される。このように、副音孔１８６を前カバー１０３の開口部３１の幅に合わせて形成することで、表示部７の上端からより広い範囲でスピーカ８２からの音を放音させることができる。
【００５１】
また、棚部３２には表示部カバー７２が配置されている。この表示部カバー７２は、棚部３２に載せることで前カバー１０３の開口部３１を塞ぎ、液晶表示パネル７１の表示面を保護する。そこで、棚部３２に表示部カバー７２を載せるためのクリアランスを確保するために、前カバー１０３の開口部３１の上下方向（図８のＤ−Ｄ線方向）よりもわずかに、つまり、クリアランスを確保するために必要な寸法だけ表示部カバー７２の上下方向（Ｄ−Ｄ線方向）寸法を小さく形成する。こうして、前カバー１０３の開口部３１の内周壁面部３３の上端辺と表示部カバー７２の周囲四辺の外壁のうち上端辺の周囲外壁面との間には、利用者には視認しにくいが液晶表示パネル７１の横幅全体に隙間３４が形成される。
【００５２】
なお、電話装置１０１の実施の形態として表示部７を例に表示部カバー７２の説明をした。しかし、本発明は必ずしも表示部７に限定するものではない。例えば、表示部を必要としない電話装置であってもよく、操作部６の表面カバーであっても良い。それ故に前カバー１０３の操作面や表示面など、第１筐体の表面に装着される筐体補助部材の総称として、本発明の第３筐体として説明する。
【００５３】
スピーカ８２の前面から放出された音は、空間部９を介して主音孔８５から放出され、直接利用者の耳孔に到達する。この主音孔８５の放音と併せて、空間部９と伝音路１８９とを通った音は、表示部カバー７２と前カバー１０３の内周壁面部３３との隙間３４、つまり、副音孔１８６を伝音して利用者の耳孔に到達する。このように、副音孔１８６を前カバー１０３の開口部３１の幅に合わせて隙間３４と副音孔１８６とが連通するように形成することによって、表示部７の上端のより広い範囲からスピーカ８２からの音を放音させることができる。こうして、通話者には表示部７の周囲からも放音されているような状態となるので、より広い範囲から音を利用者に伝えることができる。
【００５４】
また、副音孔１８６は表示部カバー７２の上端辺の横幅全体に広げて隙間（スリット）を形成した例を説明した。広がる方向は電話装置１０１の幅方向であって、使用状態では水平方向になる。しかし、上端辺の横幅全体である必要はなく、例えば、中央部分１／２や１／４などに形成しても良い。さらに、中心に穴を設けたものは実施の形態１における副音孔８６に相当する。このようにして、副音孔８６の位置、形状、および数は既存の構成部品を使って自由に形成することができ、放音する広がりも自由な設定が可能となる。そのためにデザインを制約されることが無く、操作をしやすい設計が可能となる。
【００５５】
次に、本実施の形態２の電話装置１０１の音の広がりを測定した結果を説明する。図１２は、図８の電話装置の測定箇所を示す図である。電話装置１０１の副音孔１８６を基準に水平方向（幅方向、図中の測定方向Ｌ３を参照）の音の広がりを測定した。図１３は、図１２のＬ３方向の測定結果を示す図である。なお、実施の形態２の電話装置１０１の測定結果を「○」印の線で示す。比較のために、副音孔１８６を塞いだものを比較品として測定し、測定結果を「△」印の線で示す。
【００５６】
図１３において、距離０ｍｍは電話装置１０１の中心部であって、副音孔１８６上を水平方向に移動して測定したものである。距離０ｍｍは図６の０ｍｍ位置と符合し、図６に示すように、既にこの位置において、比較品よりも４ｄＢ高い差を示している。また、図７に示すように、比較品は幅方向に３ｍｍ以上離れると音圧は急激に減少するのに対し、実施の形態２では図１３に示すように幅方向（水平方向）に５ｍｍ離れても、比較品の最大音圧を維持している。これは、実施の形態２が副音孔の形状を幅広く設計することによって、副音孔１８６の効果を水平方向にも拡張することを達成している。さらに、水平方向に距離が離れても、図７に示す比較品のように急激な音圧の減少はおきず、幅広い範囲で本発明の優位性を保っていることが確認できる。
【００５７】
（実施の形態３）
次に、本発明の実施の形態３における電話装置を、その一例であるコードレス電話装置の子機を例に説明する。本実施の形態３の電話装置は伝音路に関し他の構成にした例を説明する。実施の形態１との相違点は表示部の周囲に表示部伝音路を設けたことを特徴とする。
【００５８】
図１４は、本発明の実施の形態３における表示部カバーの図であり、（Ａ）は使用者から見た正面図、（Ｂ）は側面図である。図１５は、図１４の表示部カバーを取り付けた状態を表す拡大正面図である。図１６は、図１５のＧ−Ｇ線断面図である。なお、図１４から図１６においては、図１から図４に説明した構成要素と同じものは同一の符号を付して説明の重複を省略する。また、実施の形態１で総称した第１，第２の音孔や第１，第２経路に関する説明もまた同様である。
【００５９】
図１４から図１６において、電話装置２０１は前カバー２０３を貫通する副音孔８６が形成されている。その形成位置は、前カバー２０３の開口部３１の上端辺であって、主音孔８５の下側の棚部３２に貫通孔を形成したものである。
【００６０】
その棚部３２に本実施の形態３における表示部カバー２７２が装着される。実施の形態１に説明したように、液晶表示パネル７１の表示面を保護するために、実装面２２を液晶表示パネル７１の表示面に装着する。図１４（Ａ）において、表示部カバー２７２の周囲四辺の外壁のうち下端辺を除く三辺に沿って凹部２３（より具体的にはカバー凹部２３であるが、凹部２３と略称する。）が形成されている。図１４（Ｂ）において、外壁のうち実装面２２側の部分を除去した形状に凹部２３が形成されている。
【００６１】
表示部カバー２７２を開口部３１の棚部３２に取り付けると、開口部３１の内周壁面部３３および棚部３２と凹部２３とにより空間が形成されて表示部伝音路となる。凹部２３は、上述のように、表示部カバー２７２の周囲の外壁の下端辺を除く三辺に沿って形成したので、表示部伝音路は使用者から見て表示部カバー２７２の周囲に略コ字状に配置される（図１４（Ａ）参照）。つまり、全周囲ではなく、表示部カバー２７２の外壁の一部分に凹部２３を設けたものである。
【００６２】
上述の副音孔８６は、実施の形態１でも説明したように、棚部３２に貫通しているから、表示部伝音路は副音孔８６と連通し連絡している。こうして、副音孔８６に連絡した表示部伝音路が表示部７の三辺に沿って形成されることになる。また、実施の形態１や実施の形態２と同様に、スピーカ８２の前面の空間が連続し、スピーカ８２の裏面とは分離されるので、スピーカ８２から放出された音の位相の影響を受けることもなくなり、明瞭な音声聴取が可能となる。
【００６３】
従って、この表示部伝音路により、副音孔８６から放音された音声を、表示部７の周囲に沿って回り込ませることができるので、表示部７の周囲から放音させ、しかも、表示部カバー２７２振動させて音声をより大きくさせることもできる。
【００６４】
さらに、本実施の形態３の表示部カバー２７２の周囲に凹部２３を設けた例と、前述の実施の形態２で説明した隙間３４を用いて、音を表示部７の周囲に沿って回り込ませて表示部７の周囲の隙間３４、つまり新たな副音孔１８６から放音する例とを組み合わせることもできる。幅の広い副音孔１８６と表示部伝音路とによって、さらに効率よく音を放出することができる。
【００６５】
以上、本発明の実施の形態について説明してきたが、本発明は以上の実施の形態に限定されるものではない。さらに、本実施例では凹部２３を表示部カバー２７２の下端辺を除く三辺に形成した例を説明したが、表示部カバー２７２の全周囲に設けても良い。あるいは上端辺の１辺だけ、つまり副音孔１８６と連通する周囲の一部分であっても良い。表示部カバー２７２の周囲を表示部伝音路によって取り囲むように形成することができ、表示部カバー２７２全体から音が放散されるように会話者が感じることができる。
【００６６】
あるいは、実施の形態１の副音孔８６と実施の形態２の隙間３４とを組み合わせて新たな副音孔とすることも本発明の応用であって、同様の効果を得ることができる。さらに、実施の形態１の副音孔８６と実施の形態２の隙間３４と実施の形態３の表示部伝音路、つまり表示部カバー２７２の凹部２３とを組み合わせて他の新たな副音孔とすることも本発明の応用であって、同様の効果を得ることができる。
【００６７】
さらにまた、本発明では開口部３１の上端部分に副音孔を設けた例を説明したが、例えば、表示部７と主音孔８５との間に他の新たな副音孔を設けても、本発明の実施の形態１の応用であって、実施の形態１と同様の効果を得られる。また、各実施の形態にはコードレス電話装置の子機を例に説明したが、商品の形態には子機に限らず、携帯電話装置や、ＰＨＳなどの他に、装置本体を耳に当てて音声を聞くもの、会話をするものであれば適用することが可能である。
【産業上の利用可能性】
【００６８】
本発明は、装置本体を耳に当てて音声を聞く電話装置に適用できる。小型化を図りつつ、広い範囲の使用者に対して音声を聞き取りやすくすることが可能になる。特に小型のコードレス電話装置の子機や、携帯電話装置や、ＰＨＳに最適である。
【図面の簡単な説明】
【００６９】
【図１】本発明の実施の形態１における電話装置の正面図
【図２】図１におけるＡ−Ａ線断面図
【図３】図１のＢ部拡大斜視図
【図４】図２のＣ方向から見た拡大斜視図
【図５】図１の電話装置の測定箇所を示す図
【図６】図５のＬ１方向の測定結果を示す図
【図７】図５のＬ２方向の測定結果を示す図
【図８】本発明の実施の形態２における電話装置の正面図
【図９】図８におけるＤ−Ｄ線断面図
【図１０】図８のＥ部拡大斜視図
【図１１】図９のＦ方向から見た拡大斜視図
【図１２】図８の電話装置の測定箇所を示す図
【図１３】図１２のＬ３方向の測定結果を示す図
【図１４】本発明の実施の形態３における表示部カバーの図
【図１５】図１４の表示部カバーを取り付けた状態を表す拡大正面図
【図１６】図１５のＧ−Ｇ線断面図
【符号の説明】
【００７０】
１、１０１、２０１    電話装置
２、１０２、２０２    本体
３、１０３、２０３    前カバー
４    後カバー
５    送話部
６    操作部
７    表示部
８    受話部
９    空間部
２２    実装面
２３    凹部（カバー凹部）
３１    開口部
３２    棚部
３３    内周壁面部
３４    隙間
５１    送話孔
７１    液晶表示パネル
７２、２７２    表示部カバー
８１    凹部
８２    スピーカ
８３    階段部
８４    周壁部
８５    主音孔
８６、１８６    副音孔
８７    溝
８８、１８８    蓋部
８９、１８９    伝音路
１８４    副音孔周壁部
１８１    内側面
【図１】
2007150393.tif 000003
【図２】
2007150393.tif 000004
【図３】
2007150393.tif 000005
【図４】
2007150393.tif 000006
【図５】
2007150393.tif 000007
【図６】
2007150393.tif 000008
【図７】
2007150393.tif 000009
【図８】
2007150393.tif 000010
【図９】
2007150393.tif 000011
【図１０】
2007150393.tif 000012
【図１１】
2007150393.tif 000013
【図１２】
2007150393.tif 000014
【図１３】
2007150393.tif 000015
【図１４】
2007150393.tif 000016
【図１５】
2007150393.tif 000017
【図１６】
2007150393.tif 000018